(57)【要約】【課題】レンズ部を交換可能にして光学特性の異なる画像をユーザが簡単に撮影することのできるカメラ付携帯通信端末を提供すること。【解決手段】本発明のカメラ付の携帯電話１は、カメラ機能部７を筐体本体２に内蔵しており、レンズ部３Ａを保持するレンズユニット４Ａと、このレンズユニット４Ａに形成されたネジ部１０と、このネジ部１０と螺合してレンズユニット４Ａを筐体本体２に対して脱着自在とする、該筐体本体２に形成されたネジ部１０とからなるレンズ交換機構を備えている。このため、本発明の携帯通信端末１によれば、レンズ部３Ａを交換することによって、カメラ機能部７の光学特性を容易に切り替えることが可能となり、光学特性の異なる画像の撮影を簡単に行うことができる。【選択図】　図１
2004004465.tif 000002
【特許請求の範囲】
【請求項１】
カメラ機能部を筐体本体に設けたカメラ付携帯通信端末において、
前記カメラ機能部のうち少なくともレンズ部を交換可能にするレンズ交換機構を備えている
ことを特徴とするカメラ付携帯通信端末。
【請求項２】
請求項１記載のカメラ付携帯通信端末であって、
前記レンズ交換機構は、
前記レンズ部を保持するレンズユニットと、
前記レンズユニットに形成された第１ネジ部と、
前記第１ネジ部と螺合して前記レンズユニットを前記筐体本体に対して脱着自在とする、前記筐体本体に形成された第２ネジ部とからなる
ことを特徴とするカメラ付携帯通信端末。
【請求項３】
請求項１記載のカメラ付携帯通信端末であって、
前記レンズ交換機構は、
前記レンズ部を保持するレンズユニットと、
前記レンズユニットを脱着自在とする、前記筐体本体に形成されたレンズ収納保持部とからなる
ことを特徴とするカメラ付携帯通信端末。
【請求項４】
請求項１記載のカメラ付携帯通信端末であって、
前記レンズ交換機構は、複数の前記レンズ部を所定間隔を置いて直線上に保持するレンズ保持部材と、このレンズ保持部材を前記筐体本体に対してスライド自在とするスライド機構部とからなる
ことを特徴とするカメラ付携帯通信端末。
【請求項５】
請求項１に記載のカメラ付携帯通信端末であって、
前記レンズ交換機構は、
複数の前記レンズ部を所定間隔を置いて円環状に配置させるレンズ保持部材と、
前記レンズ保持部材を前記筐体本体に対して回転自在とする回転機構部とからなる
ことを特徴とするカメラ付携帯通信端末。
【請求項６】
請求項１記載のカメラ付携帯通信端末であって、
前記レンズ交換機構は、
前記レンズ部を保持する装飾パネルと、
前記装飾パネルを前記筐体本体に対して取り外し自在に装着させる脱着機構部とからなる
ことを特徴とするカメラ付携帯通信端末。
【請求項７】
カメラ機能部を筐体本体に設けたカメラ付携帯通信端末において、
前記カメラ機能部のうちレンズ部を保持するレンズユニットを、前記筐体本体に対して抜き差し自在とするレンズ交換機構を備えている
ことを特徴とするカメラ付携帯通信端末。
【請求項８】
請求項７記載のカメラ付携帯通信端末であって、
前記レンズ交換機構は、
前記筐体本体に形成された孔部と、
前記レンズ部を保持するレンズ保持部と、前記孔部に挿入される挿入部と、前記挿入部の先端に形成された抜け止め部と、前記抜け止め部の先端から当該挿入部にかけて挿入方向に形成されたスリットとを有したレンズユニットとからなる
ことを特徴とするカメラ付携帯通信端末。
【請求項９】
請求項７記載のカメラ付携帯通信端末であって、
前記レンズ交換機構は、
前記筐体本体に形成された孔部と、
前記孔部に挿入される挿入部、前記挿入部の先端に形成された抜け止め部、及び前記抜け止め部の先端から当該挿入部にかけて挿入方向に形成されたスリットを有した装着本体と、レンズ部を保持し且つ前記装着本体に対して回転自在に取り付けられるレンズ保持部とを有したレンズユニットとからなる
ことを特徴とするカメラ付携帯通信端末。
【請求項１０】
請求項７記載のカメラ付携帯通信端末であって、
前記レンズ交換機構は、
前記筐体本体に形成された孔部と、
前記孔部内に突出するように前進し且つ該孔部から引っ込むように後退する突起を、前記孔部内に設けたロック部と、
前記レンズ部を保持するレンズ保持部と、前記孔部に挿入される挿入部と、前記挿入部に形成され、前記ロック部が係合する被係合部とを有したレンズユニットとからなる
ことを特徴とするカメラ付携帯通信端末。
【発明の詳細な説明】
【０００１】
【発明の属する技術分野】
本発明は、カメラ機能付きの携帯通信端末に関し、詳細には、レンズ部のみを交換可能にして光学特性の異なる画像をユーザが簡単に撮影することのできるカメラ付携帯通信端末に関する。
【０００２】
【従来の技術】
近年、携帯電話などの携帯通信端末においては、端末にカメラ機能を内蔵させ、そのカメラ機能で撮影した静止画や動画を、携帯通信端末の通信機能を用いて相手先に送信する技術が実用化されている（例えば、特許文献１参照）。
【０００３】
【特許文献１】
特開２００１−３２０４６３号公報（第２〜３頁、第１図）
【０００４】
【発明が解決しようとする課題】
近年、ユーザーの要望などによって、携帯通信端末の小型化及び薄型化が積極的に行われている。その一方で、上述したようなカメラ機能を内蔵させるなどの多機能化の要望もある。携帯通信端末へのカメラ機能の内蔵に際しては、小型化及び薄型化された端末本体内に通信機能と併せて内蔵させることになるので、非常に限られたスペースでカメラ機能部を搭載させなくてはならない。
【０００５】
このため、広角・望遠等を実現するための機械的なズーム機構などを搭載することは非情に困難で、単一の光学特性に固定されたレンズを有しているものしかなかった。特に、携帯電話などでは、端末の厚さには実質的に制限があるので、焦点距離を変化させるズーム機構などの搭載は不可能と思われていた。
【０００６】
なお、携帯通信端末の薄型化を実現するために、電子ズームなどを用いることも考えられるが、電子ズームでは何らかの補正を行っているため、光学ズームに比べて画質が劣る。
【０００７】
本発明は、このような課題に鑑みてなされたものであり、レンズ部を交換可能にして光学特性の異なる画像をユーザが簡単に撮影することのできるカメラ付携帯通信端末を提供することを目的とする。
【０００８】
【課題を解決するための手段】
本発明のカメラ付携帯通信端末は、カメラ機能部を筐体本体に設けており、カメラ機能部のうち少なくともレンズ部を交換可能にするレンズ交換機構を備えている。
【０００９】
本発明の携帯通信端末によれば、例えば各種レンズの中から撮影の目的に応じた適切なレンズを選択し、その選択したレンズを筐体本体に取り付けられているレンズと交換することによって、カメラ機能部の光学特性を容易に切り替えることが可能となり、光学特性の異なる画像の撮影を簡単に行うことができる。
【００１０】
また、本発明のカメラ付携帯通信端末は、レンズ部を保持するレンズユニットを筐体本体に対して抜き差し自在にするレンズ交換機構を備えている。
【００１１】
本発明のカメラ付携帯通信端末によれば、レンズユニットを筐体本体に対して抜き差しするだけの簡単なワンタッチ操作でレンズユニットを交換することが可能となる。
【００１２】
【発明の実施の形態】
以下、本発明を適用した具体的な実施の形態について図面を参照しながら詳細に説明する。
【００１３】
「第１の実施の形態」
まず、第１の実施の形態における携帯通信端末を図１（ａ）及び図１（ｂ）に示す。本実施の形態のカメラ付携帯通信端末は携帯電話１である。この携帯電話１には、筐体本体２の背面側（画像表示側とは反対側）に脱着可能なレンズ部３Ａを保持するレンズユニット４Ａが取り付けられる。レンズ部３Ａは、レンズユニット４Ａごと交換が可能となっている。
【００１４】
レンズ部３Ａを交換可能とするレンズ交換機構は、一端にレンズ部３Ａを保持させた円筒体のレンズ保持部材であるレンズユニット４Ａと、このレンズユニット４Ａの外周面に形成された第１ネジ部（雄ねじ）であるネジ部１０と、このネジ部１０と螺合して前記レンズユニット４Ａを前記筐体本体２に対して脱着自在とする、前記筐体本体２に形成された第２ネジ部（雌ねじ）であるネジ部１１とからなる。筐体本体２に形成されたネジ部１１は、前記筐体本体２に形成されたレンズユニット装着部５の内周面に形成されている。
【００１５】
レンズユニット装着部５の内部には、円筒状の鏡筒部６が形成されている。そして、この鏡筒部６の奥側には、カメラ機能部７が内蔵されている。鏡筒部６の先端には、内部への埃などの侵入を防止する透明なカバーガラス８（合成樹脂製である場合もある）が取り付けられている。一方、鏡筒部６の基端側、すなわち、筐体本体２の内部側には、例えばＣＣＤやＣＭＯＳなどのイメージセンサ９が設けられている。
【００１６】
レンズユニット４Ａは、例えば標準レンズ、広角レンズ、望遠レンズ、特殊レンズなどの如き異なる焦点距離のレンズや異なるレンズ色などに応じたレンズ部３Ａを有した複数種類が用意される。そして、ユーザが所望の光学特性を得たいときには、これら各種レンズのうちから所望のレンズ部３Ａを保持するレンズユニット４Ａを選択し、その選択したレンズユニット４Ａを、前記したネジ部１０，１１同士の螺合によって筐体本体２に取り付ける。このようにすることによって、簡単にレンズ部３Ａのみを交換することができ、１台の携帯電話１で様々な光学特性を容易に実現することが可能となる。
【００１７】
なお、本実施の形態のレンズ交換機構は、主として締結手段の一つとしてネジ部１０，１１によって形成されているため、レンズユニット４Ａのねじ込み量を調節することにより、僅かではあるがレンズ部３Ａとイメージセンサ９との間の距離を調節して、ズーム範囲を確保することも可能となる。また、レンズ交換機構がネジなので、ズームの微妙な調整を行いやすい。
【００１８】
また、使用していないレンズユニット４Ａを紛失しないように取り付けておくために、上述したレンズユニット装着部５と類似の外形を有するホルダー部を、筐体本体２の他の部分に設けることができる。このようにすれば、このホルダー部に非使用時のレンズユニット４Ａを収納させておくことができる。
【００１９】
「第２の実施の形態」
次に、第２の実施の形態のカメラ付携帯通信端末を図２（ａ）及び図２（ｂ）に示す。本実施の形態のカメラ付携帯通信端末も携帯電話１である。なお、上述した第１の実施の形態と同一又は同等の構成部分には同一の符号を付すこととする。この携帯電話１は、その筐体本体２の背面側に脱着可能なレンズ部３Ｂが取り付けられる。レンズ部３Ｂを交換可能とするレンズ交換機構は、レンズ部３Ｂを保持するレンズ保持部材であるレンズユニット４Ｂと、このレンズユニット４Ｂを脱着自在とする、前記筐体本体２に形成されたレンズ収納保持部１２とからなる。レンズ収納保持部１２は、前記筐体本体２の側方から当該筐体本体２の背面に対してほぼ平行に形成された内部空間であり、その空間部に通じるように前記筐体本体２の側面にレンズユニット４Ｂを出し入れさせるためのスリット１３を有している。
【００２０】
前記レンズ収納保持部１２には、このレンズ収納保持部１２に収容したレンズ部３Ｂを筐体本体２の外方へ露出させるための孔部１４が形成されている。そして、孔部１４の奥側には、前記レンズ収納保持部１２内にレンズ３Ｂが収納されていないときに、筐体本体２内部への埃などの侵入を防止する透明なカバーガラス８（合成樹脂製である場合もある）が取り付けられている。なお、カバーガラス８が孔部１４に嵌め込まれていても良い。孔部１４のさらに奥側の筐体本体２内部には、例えばＣＣＤやＣＭＯＳなどのイメージセンサ９を有するカメラ機能部７が内蔵されている。
【００２１】
本実施の形態のレンズ部３Ｂは、薄型の板状をなすレンズユニット４Ｂに取り付けられており、このレンズユニット４Ｂごと交換可能となっている。このレンズユニット４Ｂの外縁の一辺上には、レンズ収納保持部１２への脱着を行いやすくするためのつまみ１５が形成されている。また、このつまみ１５が形成されている辺に隣り合う二つの辺には、係合凹部１６が形成されている。レンズ収納保持部１２の内部には、相対向するように前記係合凹部１６と係合する係合突起１７が形成されている。レンズユニット４Ｂがレンズ収納保持部１２内に挿入されると、前記係合突起１７と係合凹部１６とが係合し合って、前記レンズ収納保持部１２からのレンズユニット４Ｂの脱落が防止される。
【００２２】
同様に、ここで使用されるレンズユニット４Ｂは、例えば標準レンズ、広角レンズ、望遠レンズ、特殊レンズなどの異なる焦点距離や異なる色などに応じたレンズ部３Ｂを有した複数種類が用意される。そして、ユーザが所望の光学特性を得たいときには、これら各種レンズのうちから所望のレンズ部３Ｂを有するレンズユニット４Ｂを選択し、その選択したレンズユニット４Ｂを、前記したレンズ収納保持部１２に挿入して前記筐体本体２に取り付ける。このようにすることによって、簡単にレンズ部３Ｂのみを交換することができ、１台の携帯電話１で様々な光学特性を容易に実現することが可能となる。
【００２３】
また、使用していないレンズ部３Ｂを紛失しないように取り付けておくために、上述したレンズ収納保持部１２と類似の構造を有するホルダー部を、筐体本体２の他の部分に設けても良い。このようにすれば、非使用時のレンズ部３Ｂを収納保管させておくことができる。
【００２４】
「第３の実施の形態」
次に、第３の実施の形態のカメラ付携帯通信端末を図３（ａ）及び図３（ｂ）に示す。本実施の形態のカメラ付携帯通信端末も携帯電話１である。なお、上述した第１の実施の形態と同一又は同等の構成部分には同一の符号を付すこととする。この携帯電話１は、筐体本体２の背面側の一方の側縁部に、直線状にスライド可能なレンズ保持部材４Ｃを内蔵している。このレンズ保持部材４Ｃには、複数種類のレンズ部３Ｃが所定間隔を置いて直線上に嵌め込まれている。これら複数のレンズ部３Ｃは、前記レンズ保持部材４Ｃを、前記筐体本体２に対してスライド操作することによって交換が可能となっている。
【００２５】
レンズ部３Ｃを交換可能とするレンズ交換機構は、長尺状のスライドバーからなるレンズ保持部材４Ｃと、このレンズ保持部材４Ｃをスライド自在とするスライド機構部とからなる。スライド機構部は、筐体本体２内に形成されたスライド空間部１８を有し、そのスライド空間部１８内に前記したレンズ保持部材４Ｃを収納させてスライド自在とする。
【００２６】
レンズ保持部材４Ｃが収納された部分には、一つのレンズ部３Ｃを筐体本体２の外方へ露出させるための切欠部１９が形成されている。この切欠部１９は、レンズ部３Ｃの大きさに合わせた円形孔であってもよい。切欠部１９の奥側には、透明なカバーガラス８（合成樹脂製である場合もある）が取り付けられている。カバーガラス８のさらに奥側の筐体本体２内部には、例えばＣＣＤやＣＭＯＳなどのイメージセンサ９を有するカメラ機能部７が内蔵されている。
【００２７】
レンズ保持部材４Ｃには、当該レンズ保持部材４Ｃのスライド操作を行いやすくするためのつまみ２０が形成されている。また、このつまみ２０とは反対側の辺には、各レンズ部３Ｃの位置にそれぞれ係合凹部２１が形成されている。そして、筐体本体２のカバーレンズ８の近傍には、前記係合凹部２１と係合する係合突起２２が形成されている。各レンズ部３Ｃと切欠部１９との位置を合わせると、前記係合突起２２と係合凹部２１とが係合し合って、位置合わせされたレンズ部３Ｃの位置が固定される。
【００２８】
前記レンズ部３Ｃは、例えば標準レンズ、広角レンズ、望遠レンズ、特殊レンズなどの異なる焦点距離や異なる色などに応じた複数種類が用意される。そして、ユーザが所望の光学特性を得たいときには、前記レンズ保持部材４Ｃをスライドさせて、使用すべきレンズ部３Ｃを前記イメージセンサ９と対応する位置に合わせる。このようにすることによって、様々な光学特性を容易に実現することが可能となる。また、カメラを使用していない時には、レンズ部３Ｃが傷付くのを防止し、かつ、内部のカメラ機能部７を保護するため、レンズ保持部材４Ｃに、保護カバー部２３としてレンズが嵌め込まれていない部分を形成させても良い。また、レンズ保持部材４Ｃは、筐体本体２の背面側ではなく、筐体本体２の側面側に配置しても良い。
【００２９】
「第４の実施の形態」
次に、第４の実施の形態のカメラ付携帯通信端末を図４（ａ）及び図４（ｂ）に示す。本実施の形態のカメラ付携帯通信端末も携帯電話１である。なお、上述した第１の実施の形態と同一又は同等の構成部分には同一の符号を付すこととする。この携帯電話１は、筐体本体２の背面側に、円板状の回転可能なレンズ保持部材４Ｄを内蔵している。そして、このレンズ保持部材４Ｄには、複数種類のレンズ部３Ｄが所定間隔を置いて円環状に嵌め込まれている。これら複数のレンズ部３Ｄは、前記レンズ保持部材４Ｄを、前記筐体本体２に対して回転操作することによって交換が可能となっている。
【００３０】
レンズ部３Ｄを交換可能とするレンズ交換機構は、円盤形状のレンズ保持部材４Ｄと、このレンズ保持部材４Ｄを筐体本体２に対して回転自在とする回転機構部とからなる。回転機構部は、筐体本体２に形成されたレンズ保持部材４Ｄを収納させる回転空間部２４を有し、その回転空間部２４内に設けられた軸部２５に前記レンズ保持部材４Ｄを回転自在に取り付けることによって、前記レンズ保持部材４Ｄを前記筐体本体２に対して回転自在とする。
【００３１】
レンズ保持部材４Ｄが収納された部分には、一つのレンズ部３Ｄを筐体本体２の外方へ露出させるための切欠部２６が形成されている。この切欠部２６は、レンズ部３Ｄの大きさに合わせた円形孔であってもよい。切欠部２６の奥側には、透明なカバーガラス８（合成樹脂製である場合もある）が取り付けられている。カバーガラス８のさらに奥側の筐体本体２内部には、例えばＣＣＤやＣＭＯＳなどのイメージセンサ９を有するカメラ機能部７が内蔵されている。
【００３２】
レンズ保持部材４Ｄの外縁周部は、わずかに筐体本体２よりも外方に突出されている。レンズ保持部材４Ｄの外周側面には、細かな凹凸が形成されており、レンズ保持部材４Ｄを回転させやすくなっている。また、レンズ保持部材４Ｄの外周側面上の各レンズ部３Ｄ部分には、筐体本体２に形成された係合突起２７と係合する係合凹部２８がそれぞれ形成されている。各レンズ部３Ｄと切欠部２６との位置を合わせると、係合突起２７と係合凹部２８とが係合し合って、位置合わせされたレンズ部３Ｄの位置が固定される。
【００３３】
レンズ部３Ｄは、例えば標準レンズ、広角レンズ、望遠レンズ、特殊レンズなどの如き異なる焦点距離や異なる色などに応じて複数種類が用意される。そして、ユーザが所望の光学特性を得たいときには、前記レンズ保持部材４Ｄを回転させて、使用すべきレンズ部３Ｄを前記イメージセンサ９と対応する位置に合わせる。このようにすることによって、様々な光学特性を容易に実現することが可能となる。また、カメラを使用していない時には、レンズ部３Ｄが傷つくのを防止し、かつ、内部のカメラ機能部７を保護するため、レンズ保持部材４Ｄに、保護カバー部２９としてレンズが嵌め込まれていない部分を形成しても良い。
【００３４】
「第５の実施の形態」
次に、第５の実施の形態のカメラ付携帯通信端末を図５に示す。本実施の形態のカメラ付携帯通信端末も携帯電話１である。なお、上述した第１の実施の形態と同一又は同等の構成部分には同一の符号を付すこととする。この携帯電話１は、筐体本体２に装着される取り外し可能な装飾パネル３０を有している。そして、この装飾パネル３０には、レンズ部３Ｅが嵌め込まれている。レンズ部３Ｅは、装飾パネル３０を筐体本体２に対して付け替えることで交換が可能となっている。
【００３５】
レンズ部３Ｅを交換可能とするレンズ交換機構は、レンズ部３Ｅが取り付けられた装飾パネル３０と、この装飾パネル３０を筐体本体２に対して取り外し可能に装着させる脱着機構とからなる。脱着機構は、装飾パネル３０に形成された複数の爪部３１と、この爪部３１と係合する筐体本体２に形成された溝部３２とからなる。この脱着機構は、前記爪部３１を前記溝部３２に係合させることによって、前記装飾パネル３０を前記筐体本体２に対して取り外し可能に装着させる。
【００３６】
装飾パネル３０を筐体本体２に取り付けたときに、レンズ部３Ｅの奥側に位置する部分には、透明なカバーガラス８（合成樹脂製である場合もある）が取り付けられている。カバーガラス８のさらに奥側の筐体本体２内部には、イメージセンサを有するカメラ機能部７が内蔵されている。本実施の形態のイメージセンサもＣＣＤである。
【００３７】
レンズ部３Ｅが嵌め込まれた装飾パネル３０は、例えば標準レンズ、広角レンズ、望遠レンズ、特殊レンズなどの異なる焦点距離や異なる色などに応じたレンズ部３Ｅを有した複数種類が用意される。そして、ユーザが所望の光学特性を得たいときには、これら各種レンズのうちから所望のレンズ部３Ｅを有する装飾パネル３０を筐体本体２に取り付ける。このようにすることによって、１台の携帯電話１で様々な光学特性を容易に実現することが可能となる。また、筐体本体２に装飾パネル３０を一体化させることによって、携帯電話１の外観をファッション感覚で着替えるように取り替える機能と同時に、レンズ部３Ｅの交換機能をも提供することができる。また、装飾パネル３０の柄などによって、各レンズ部３Ｅの機能（広角か望遠かなど）を容易に判別できる。
【００３８】
「第６の実施の形態」
次に、第６の実施の形態のカメラ付携帯通信端末を図６に示す。本実施の形態のカメラ付携帯通信端末も携帯電話１である。なお、上述した第１の実施の形態と同一又は同等の構成部分には同一の符号を付すこととする。この携帯電話１には、筐体本体２の背面側に脱着可能なレンズユニット４Ｅが取り付けられる。レンズユニット４Ｅは、筐体本体２の背面に形成されたレンズ取付孔部３３に押し込み操作されることによってワンタッチで装着される。
【００３９】
このレンズ交換機構は、図６に示すように、筐体本体２に形成された孔部であるレンズ取付孔部３３と、このレンズ取付孔部３３に抜き差し自在に装着されるレンズユニット４Ｅとからなる。レンズ取付孔部３３は、図６及び図７に示すように、例えば筐体本体２の背面に円形孔として形成されている。そして、このレンズ取付孔部３３の奥部には、カメラ機能部を構成するカメラモジュール３４が筐体本体２内に内蔵されている。カメラモジュール３４は、各種電子回路などを有したプリント配線板３５上に固定されている。
【００４０】
なお、筐体本体２内であって前記レンズ取付孔部３３の開口内周縁部には、このレンズ取付孔部３３から前記筐体本体２内へと入り込む塵埃などをシャットアウトするための保護レンズ３６が設けられている。
【００４１】
レンズユニット４Ｅは、図８及び図９に示すように、レンズ部３Ｆを保持するレンズ保持部３７と、レンズ取付孔部３３に挿入される挿入部３８と、挿入部３８の先端に形成された抜け止め部３９と、この抜け止め部３９の先端から当該挿入部３８にかけて形成されたスリット４０とからなる。
【００４２】
レンズ保持部３７は、レンズ部３Ｆを保持する部分に相当し、当該レンズ部３Ｆを内部に収納保持するに足る大きさの一端が開放された円筒体として形成されている。挿入部３８は、レンズ取付孔部３３よりも若干大きな直径を有した円筒体として形成され、前記レンズ保持部３７と一体化されている。
【００４３】
抜け止め部３９は、抜け止め部３９及び挿入部３８をレンズ取付孔部３３に押し込んだときに、当該レンズ取付孔部３３からレンズユニット４Ｅが抜け出ないように防止するための抜け止め部材として機能する。この抜け止め部３９は、例えば前記挿入部３８の先端に円環状をなすフランジとして形成される。そして、この抜け止め部３９には、レンズユニット４Ｅを別の種類のレンズユニット４Ｅ（例えば広角レンズを備えたレンズユニット４Ｅ）と取り替えるときに、当該レンズユニット４Ｅを容易にレンズ取付孔部３３から取り外せるようにするためのテーパ部４１が形成されている。
【００４４】
スリット４０は、抜け止め部３９の先端から挿入部３８の基端部（レンズ保持部３７との連結部）に至る位置までほぼストレート形状の細長い溝として切り込まれている。このスリット４０が挿入部３８の複数箇所に形成されることにより、前記挿入部３８は、先端に抜け止め部３９を有した弾性変形可能な複数の変位部を有することになる。
【００４５】
このため、レンズユニット４Ｅを前記レンズ取付孔部３３に挿入すると、スリット４０によって形成された複数の変位部が互いに内側につぼむように変形して前記レンズ取付孔部３３に挿入されて行く。レンズユニット４Ｅを最後まで押し込むと、抜け止め部３９はレンズ取付孔部３３より筐体本体２内に突出する。また、このとき、各変位部は元の状態に戻ろうと復帰するため、前記挿入部３８を前記レンズ取付孔部３３に押圧して密着させると共に抜け止め部３９が当該レンズ取付孔部３３の開口周縁部に係合する。その結果、レンズユニット４Ｅは、筐体２に対してゆるみ無く取り付けられることになる。
【００４６】
一方、レンズユニット４Ｅを取り外す場合は、レンズ保持部３７を指で挟んで引っ張ることで、筐体本体２から取り外すことができる。このとき、抜け止め部３９には、テーパ部４１が形成されていることから、レンズユニット４Ｅを強く引っ張ることで前記レンズ取付孔部３３との係合がスムーズに解除される。
【００４７】
このように、本実施の形態の携帯電話１では、ネジなどの締結手段を使用することなく単にレンズユニット４Ｅをレンズ取付孔部３３に押し込むことの簡単な操作で筐体本体２に対して抜き差しすることができる。したがって、ユーザは、所望の光学特性を有したレンズユニット４Ｅを選択して筐体本体２にスムーズに取り付けることができ、シャッターチャンスを逃すようなことはない。また、この本実施の形態の携帯電話１では、単にレンズユニット４Ｅをレンズ取付孔部３３に押し込んでいるだけなので、筐体本体２に対してレンズユニット４Ｅを図６中矢印Ｘ方向（軸回り方向）に回転させることもできる。
【００４８】
レンズユニット４Ｅを筐体本体２に対して回転させることができることを利用して万華鏡のような光学特性を実現することができる。レンズ部３Ｆに３面プリズムを使用し、この３面プリズムを保持させたレンズユニット４Ｅを筐体本体２に取り付けて、当該レンズユニット４Ｅを回転させると、図１０に示すように被写体を複数写し出すことができる。図１０の例では、被写体である人物４２が３面プリズム４３に全身写し出されている状態（同図（ａ）に示す状態）から、レンズユニット４Ｅを回転させることによって、同図（ｂ）に示すように人物４２の全身または一部のみを写し出した万華鏡のような効果を実現させることができる。この他、レンズ部３Ｆに偏光フィルターを使用すれば、色を変化させることもできる。
【００４９】
また、本実施の形態の携帯電話１では、カメラ撮影を行わない場合には、図１１に示すようなレンズ部を有しないダミーレンズユニット４Ｆを筐体本体２に取り付けておくこともできる。ダミーレンズユニット４Ｆは、レンズ保持部３７にレンズ部３Ｆを保持させるための空間部を有しない円柱体として形成されている。このダミーレンズユニット４Ｆを筐体本体２に取り付ければ、塵埃などの筐体本体２内への侵入を防止することができ、カメラモジュール３４などを保護することができる。
【００５０】
「第７の実施の形態」
次に、第７の実施の形態について説明する。この実施の形態では、先の第６の実施の形態のレンズユニット４Ｅの変形例であり、その変形例であるレンズユニット４Ｇを図１２及び図１３に示す。なお、前記した第６の実施の形態と同一又は同等の構成部分には同一の符号を付すこととする。
【００５１】
この例のレンズユニット４Ｇは、筐体本体２の背面に形成されたレンズ取付孔部３３に押し込み操作されることによってワンタッチで装着されるもので、第６の実施の形態のレンズユニット４Ｅと異なるところは、レンズ部を回転できることを主目的として構成したものである。
【００５２】
このレンズユニット４Ｇは、主としてレンズ取付孔部３３に取り付けられる装着本体４４と、レンズ部３Ｆを保持するレンズ保持部４５とからなる。装着本体４４は、先の第６の実施の形態のレンズユニット４Ｅとほぼ同様の構成とされており、レンズ部３Ｆを保持する構造が異なる他は、同じである。
【００５３】
すなわち、この装着本体４４は、先の第６の実施の形態のレンズユニット４Ｅにおける挿入部３８と抜け止め部３９とスリット４０とを有している。先の第６の実施形態のレンズユニット４Ｅのレンズ保持部３７に相当する連結部４６には、後述するレンズ保持部４５を回転自在に保持させるための円形状をなす嵌合凹部４７が形成されている。また、この嵌合凹部４７の内周面には、レンズ保持部４５に取り付けられる後述する脱落防止部材４８の一部を入り込ませる円環状の溝部４９が形成されている。
【００５４】
レンズ保持部４５は、第１のレンズ保持部材５０と、この第１のレンズ保持部材５０に取り付けられる第２のレンズ保持部材５１とからなる。第１のレンズ保持部材５０は、レンズ部３Ｆを収納保持するレンズ保持部分５２と、前記嵌合凹部４７に嵌合される嵌合装着部５３とからなる。レンズ保持部分５２には、レンズ３Ｆを内部に収納保持させるための一端が開放されたレンズ収納凹部５４が形成されている。また、このレンズ収納凹部５４の内周面には、ネジなどの締結手段によって第１のレンズ保持部材５０と第２のレンズ保持部材５１とを固定させるための雌ねじ部５５が形成されている。
【００５５】
一方、嵌合装着部５３は、前記装着本体４４の嵌合凹部４７に嵌め込まれ、当該装置本体４４に対して回転自在とされる。この嵌合装着部５３には、第１のレンズ保持部材５０を前記嵌合凹部４７に取り付けたときに、当該第１のレンズ保持部材５０がこの嵌合凹部４７から脱落しないようにする脱落防止部材４８を取り付けるための円環溝５６が形成されている。この円環溝５６に嵌め込まれる脱落防止部材４８は、例えばバネ性を有した線材を円環状に丸めて形成したリングバネからなる。
【００５６】
そして、この脱落防止部材４８は、前記円環溝５６に嵌められたときにその一部が当該円環溝５６より飛び出すようになっている。このように、円環溝５６より飛び出した脱落防止部材４８の一部が前記嵌合凹部４７に形成された溝部４９に入り込むことで、前記第１のレンズ保持部材５０の前記嵌合凹部４７からの脱落が防止される。
【００５７】
第２のレンズ保持部材５１は、第１のレンズ保持部材５０に形成されたレンズ収納凹部５４内に入り込むと共にレンズ部３Ｆを押さえ付けるためのレンズ押さえ部５７を有している。レンズ押さえ部５７の外周面には、前記雌ねじ部５５と螺合する締結手段としての雄ねじ部５８が形成されている。また、この第２のレンズ保持部材５１には、レンズ部３Ｆを外方に臨ませるための貫通孔５９が形成されている。さらに、この第２のレンズ保持部材５１には、前記レンズ部３Ｆの外周縁を押さえるためのレンズ押さえ面６０が、前記レンズ押さえ部５７の先端に形成されている。
【００５８】
このような構成とされた携帯電話機１では、レンズ部３Ｆを第１のレンズ保持部材５０と第２のレンズ保持部材５１とで挟み込んでなるレンズ保持部４５を、装着本体４４に対して回転自在に取り付けているので、望遠レンズや広角レンズなどの各種光学特性の異なるレンズ部３Ｆを使用する（取り替える）ことで特殊な効果を施した画像を撮影することができる。特に、この携帯電話１では、ユーザの撮影目的に応じてレンズ部３Ｆのみを交換すればよいため、レンズユニット毎の取り替えを必要としない。また、この携帯電話機１は、先の第６の実施の形態のレンズユニット４Ｅと同様、筐体本体２に対して押し込み操作によってワンタッチで抜き差しすることができ、レンズユニット４Ｇの交換作業をスムーズに行うことができる。
【００５９】
「第８の実施の形態」
次に、第８の実施の形態について説明する。この実施の形態では、前記した第６の実施の形態のレンズユニット４Ｅの変形例であり、その変形例であるレンズユニット４Ｈを図１４に示す。なお、前記した第６の実施の形態と同一又は同等の構成部分には同一の符号を付すこととする。
【００６０】
この例のレンズユニット４Ｈは、筐体本体２の背面に形成されたレンズ取付孔部３３に押し込み操作されることによってワンタッチで装着されるもので、第６の実施の形態のレンズユニット４Ｅと異なるところは、抜け止め部３９の構成が異なる。
【００６１】
このレンズユニット４Ｈは、レンズ部（図示は省略する）を保持するレンズ保持部３７と、レンズ取付孔部３３に挿入される挿入部６１と、この挿入部６１に形成された被係合部６２とからなる。レンズ保持部３７は、第６の実施の形態と同じ構造とされ、内部にレンズ部を収納保持する。挿入部６１は、レンズ取付孔部３３に挿入し得る程度の大きさとされた円筒体として前記レンズ保持部３７に一体化されている。被係合部６２は、挿入部６１の外周面に深さの浅い円環溝として形成されている。この被係合部６２には、前記レンズ取付孔部３３内に設けられたロック部６３を構成する突起６４が係合する。
【００６２】
ロック部６３は、レンズ取付孔部３３内であって、且つレンズ取付孔部３３の貫通方向とほぼ直交する方向に形成されたロック部収納穴６６の中に設けられている。かかるロック部６３は、前記被係合部６２に係合する先端が球状をなす突起６４と、この突起６４を先端に固定させた弾性部材であるコイルバネ６５とからなる。コイルバネ６５の基端部は、ロック部収納穴６６の底部に固定されている。
【００６３】
前記コイルバネ６５に負荷が掛かっていないときには、当該コイルバネ６５の先端に固定された突起６４が前記レンズ取付孔部３３内に突出した状態にある。一方、挿入部６１がレンズ取付孔部３３に挿入された場合には、この挿入部６１に押されて前記突起６４が前記レンズ取付孔部３３の内側に引っ込んだ状態とされる。挿入部６１がレンズ取付孔部３３内に確実に挿入された状態となると、前記突起６４がコイルバネ６５に付勢されて被係合部６２に嵌り込み、レンズユニット４Ｈは、前記筐体本体２に対してロックされた状態となる。
【００６４】
レンズユニット４Ｈを取り外す場合は、レンズ保持部３７を指で挟んで引っ張ることで、筐体本体２から簡単に取り外すことができる。すなわち、レンズ保持部３７を指で引っ張ると、コイルバネ６５によって付勢されていた突起６４は、前記挿入部６１に押されて前記被係合部６２から抜け出す。その結果、レンズユニット４Ｈを筐体本体２から取り外すことができる。
【００６５】
このように、本実施の形態では、先の第６の実施の形態と同様に、ネジなどの締結手段を使用することなく単にレンズユニット４Ｈをレンズ取付孔部３３に押し込むことの簡単な操作で筐体本体２に対して抜き差しすることができる。
【００６６】
「第９の実施の形態」
また、上述した第１〜第８の実施の形態とも組み合わせて実現可能な機能として、赤外線を照射して撮影を行ういわゆるナイトショット機能がある。
【００６７】
例えば、ナイトショットを行う場合、赤外線カットフィルタ付きのレンズユニットを筐体本体２から取り外し、その代わりに、図１５に示すように赤外線カットフィルタ無しのレンズユニット３Ｇを筐体本体２に取り付ける。そして、撮影時に、この赤外線カットフィルタの無いレンズユニット３Ｇの周囲に設けたＬＥＤ６７を発光させて撮影を行う。このように、レンズユニット３Ｇを筐体本体２から脱着自在な構成とすることによって、メカ機構を用いることなく簡単に赤外線を使用した夜間撮影を実現することができる。
【００６８】
なお、ナイトショットを行う場合のレンズ交換機構は、上述した第１〜第８の実施の形態の何れの機構を採用することも可能である。
【００６９】
「その他の実施の形態」
本発明は上述した実施の形態に限定されるものではない。例えば、第２の実施の形態では、筐体本体２にスリットを形成することで当該筐体本体２内にレンズ収納保持部１２を設け、そのレンズ収納保持部１２にレンズ３Ｂを有したレンズユニット４Ｂを挿入して収納させたが、筐体本体２の背面に別途レンズユニット４Ｂを脱着自在とするフレームポケットを取り付け、このフレームポケットにレンズユニット４Ｂを取り付けるようにしてもよい。
【００７０】
また、上述した実施の形態では、携帯通信端末の寸法的制約を考慮して、薄さを優先した単焦点レンズを用いたが、ズームレンズを用いても構わない。また、レンズとしては、例えば標準レンズ、広角レンズ、望遠レンズ、マクロレンズなどが使用できる。また、色付きレンズを使用したり、ソフトフォーカスを利用したり、或いは上述した赤外線撮影用の赤外線カットフィルタを使用したり又は使用しなかったりするなどして光学特性を適宜変えるようにしてもよい。なお、マクロ撮影で名刺を撮影して画像認識を行えば、ＯＣＲのようにアドレス帳に個人情報を取り込むようにすることも可能となる。
【００７１】
【発明の効果】
本発明は、カメラ機能部のレンズ部を交換可能にするレンズ交換機構を備えているため、必要に応じてレンズ部を交換することによって、カメラ機能部の光学特性を容易に切り替えることが可能となり、光学特性の異なる画像の撮影を容易に行うことができる。このため、撮影者が自分の好みでレンズ部を容易に交換することが可能となる。また、一つの光学系でマクロから望遠までを確保しようとすると光学系が大型化するが、レンズ部を交換可能とすることで、カメラ機能部が携帯通信端末内部で占めるスペースを最小限とすることができ、携帯性を損なうことがない。
【００７２】
また、本発明によれば、レンズユニットを筐体本体に対して抜き差し自在とするレンズ交換機構を備えているので、単にレンズユニットを押し込むだけで簡単に筐体本体に取り付けることができると共に取り外すこともできる。したがって、レンズユニットの交換作業をスムーズに行うことができる。
【図面の簡単な説明】
【図１】本発明のカメラ付携帯通信端末の第１の実施の形態となる携帯電話を示しており、（ａ）は部分背面図、（ｂ）は（ａ）中のＩ−Ｉ線における部分断面図である。
【図２】本発明のカメラ付携帯通信端末の第２の実施の形態となる携帯電話を示しており、（ａ）は部分背面図、（ｂ）は（ａ）中のＩＩ−ＩＩ線における部分断面図である。
【図３】本発明のカメラ付携帯通信端末の第３の実施の形態となる携帯電話を示しており、（ａ）は部分背面図、（ｂ）は（ａ）中のＩＩＩ−ＩＩＩ線における部分断面図である。
【図４】本発明のカメラ付携帯通信端末の第４の実施の形態となる携帯電話を示しており、（ａ）は部分背面図、（ｂ）は（ａ）中のＩＶ−ＩＶ線における部分断面図である。
【図５】本発明のカメラ付携帯通信端末の第５の実施の形態となる携帯電話の斜視図である。
【図６】本発明のカメラ付携帯通信端末の第６の実施の形態となる携帯電話の斜視図である。
【図７】第６の実施の形態となる携帯電話を示すもので、レンズユニットを筐体本体に取り付けた状態を示す要部拡大断面図である。
【図８】第６の実施の形態のレンズユニットを示す斜視図である。
【図９】第６の実施の形態のレンズユニットを示すもので、（ａ）は断面図、（ｂ）は平面図である。
【図１０】レンズ部に３面プリズムを使用して被写体を写し出した例を示すもので、（ａ）は被写体の全身が写し出された状態で、（ｂ）は３面プリズムを回転させることによって被写体の一部が写し出されていない状態を示す。
【図１１】第６の実施の形態のレンズユニットを示すもので、カメラ撮影を行わないときにレンズ部を有しないダミーレンズユニットを筐体本体に取り付けた状態を示す要部拡大断面図である。
【図１２】第７の実施の形態のレンズユニットを組み立てた状態を示す要部拡大断面である。
【図１３】第７の実施の形態のレンズユニットを分解して示す要部拡大断面図である。
【図１４】第８の実施の形態のレンズユニットを示すもので、（ａ）はレンズユニットを筐体本体に取り付ける前の状態を示す要部拡大断面図で、（ｂ）はレンズユニットを筐体本体に取り付けた状態を示す要部拡大断面図である。
【図１５】赤外線撮影機能を付加したカメラ機能部を示す正面図である。
【符号の説明】
１…携帯電話
２…筐体本体
３Ａ〜３Ｇ…レンズ部
４Ａ，４Ｂ，４Ｅ，４Ｆ，４Ｇ，４Ｈ…レンズユニット
４Ｃ，４Ｄ…レンズ保持部材、
１０，１１…ネジ部
１２…レンズ収納保持部
３０…装飾パネル
３３…レンズ取付孔部
３４…カメラモジュール
３７…レンズ保持部
３８…挿入部
３９…抜け止め部
４０…スリット
４４…装置本体
４５…レンズ保持部
６２…被係合部
６３…ロック部
６７…赤外線ＬＥＤ
【図１】
2004004465.tif 000003
【図２】
2004004465.tif 000004
【図３】
2004004465.tif 000005
【図４】
2004004465.tif 000006
【図５】
2004004465.tif 000007
【図６】
2004004465.tif 000008
【図７】
2004004465.tif 000009
【図８】
2004004465.tif 000010
【図９】
2004004465.tif 000011
【図１０】
2004004465.tif 000012
【図１１】
2004004465.tif 000013
【図１２】
2004004465.tif 000014
【図１３】
2004004465.tif 000015
【図１４】
2004004465.tif 000016
【図１５】
2004004465.tif 000017